(57)【要約】    【課題】装着者の臀部およびウェアを確実に保護すると共に、装着者が軽快に動作することができるヒップガードの提供。    【解決手段】このヒップガード１０は、たとえば釣人が磯釣りをする際に使用する。ヒップガード１０は、腰部保護材１２と臀部保護材１３とを備える。両者は伸縮性に優れるメッシュ部材１４によって連結されている。腰部保護材１２は、臀部保護材１３に対して相対的にスライド可能である。腰部保護材１３はフラップ２４を備える。このフラップ２４は、腰部保護材１２と臀部保護材１３との境界部分を覆う。【選択図】図４
2006169695.tif 000002
【特許請求の範囲】
【請求項１】
装着者の臀部に装着されるシート状の臀部保護材と、
装着者の腰部に装着されるシート状の腰部保護材とを有し、
臀部保護材の腰部保護材側端部と腰部保護材の臀部保護材側端部とは、臀部保護材と腰部保護材とが相対的にスライド可能な状態で互いに重ね合わされているヒップガード。
【請求項２】
装着者の臀部に装着されるシート状の臀部保護材と、
臀部保護材に対して相対的にスライド可能な状態で装着者の腰部に装着されるシート状の腰部保護材と、
腰部保護材に設けられ、臀部保護材の上に重ね合わせられるフラップとを有するヒップガード。  
【請求項３】
臀部保護材と腰部保護材とは、伸縮性に富む生地で連結されている請求項１に記載のヒップガード。
【請求項４】
臀部保護材と腰部保護材とは、伸縮性に富む生地で連結されている請求項２に記載のヒップガード。
【請求項５】
上記伸縮性に富む生地は、臀部保護材および腰部保護材のそれぞれの表面同士並びに臀部保護材および腰部保護材のそれぞれの裏面同士を連結するように一対設けられている請求項３に記載のヒップガード。
【請求項６】
上記伸縮性に富む生地は、臀部保護材および腰部保護材のそれぞれの表面同士並びに臀部保護材および腰部保護材のそれぞれの裏面同士を連結するように一対設けられている請求項４に記載のヒップガード。
【請求項７】
上記臀部保護材及び上記腰部保護材は、内側に通気性に優れた緩衝部材が配置され、外側に当該緩衝部材を覆うように透湿性防水シートが配置されている請求項１、３または５に記載のヒップガード。
【請求項８】
上記臀部保護材及び上記腰部保護材は、内側に通気性に優れた緩衝部材が配置され、外側に当該緩衝部材を覆うように透湿性防水シートが配置されている請求項２、４または６に記載のヒップガード。
【発明の詳細な説明】
【技術分野】
【０００１】
本発明は、たとえば磯釣り等のレジャーの用に供されるヒップガードの構造に関するものである。
【背景技術】
【０００２】
たとえば磯釣りでは、釣人は磯の上から釣りを行うが、休憩時等には磯（岩）に腰掛けることが多い。一般に磯の表面は鋭利に尖っており、釣人がこの磯に安易に腰掛けた場合には、衣類（釣用のウェア等）が損傷を受けてしまうこともある。そのため、従来から、釣人の臀部およびウェアを保護するためのヒップガードが提供されている（たとえば特許文献１〜特許文献３参照）。
【０００３】
従来のヒップガードは、弾力性を有する生地から構成され、釣人の臀部を包み込むことができるように形成されている。また、ヒップガードを構成する生地は、透湿性防水生地が採用されることもある。釣人がヒップガードを装着すると、釣人の臀部およびウェアが磯と接触した場合であっても、臀部等が保護され、釣人は快適に釣りを行うことができる。
【０００４】
【特許文献１】特開２００１−８１６０３公報
【特許文献２】特開２００４−２３２１５２公報
【特許文献３】特開２００４−２３２１４１公報
【発明の開示】
【発明が解決しようとする課題】
【０００５】
ところで、磯釣りでは、釣人は釣り場を変更するために磯を迅速に移動しなければならないときがある。また、魚がヒットしたときに釣人は、素早いロッド操作で取込作業を行わなければならない場合もある。つまり、実釣において釣人には、俊敏な動作およびロッドの軽快なアクション等が要求される。
【０００６】
しかしながら、従来のヒップガードは、釣人の臀部を包み込むものであるので、たとえば釣人が前屈動作をしなければならないとき等には、ヒップガードを構成する生地が突っ張ってしまい、軽快な動きが実現されにくいという問題があった。この問題が解決されるためには、たとえばヒップガードが装着者の体格よりも大きなサイズとなるように縫製されればよいが、これではヒップガードが身体にフィットしない。また、ヒップガードがきわめて伸縮性に富む生地により構成されれば上記問題が解決され得るが、これでは生地が柔らかすぎて釣人の臀部等の十分な保護が図れないという新たな問題が生じる。
【０００７】
そこで、本発明の目的は、装着者の臀部およびウェアを確実に保護すると共に、装着者が軽快に動作することができるヒップガードを提供することである。
【課題を解決するための手段】
【０００８】
(1) 上記目的が達成されるため、本発明に係るヒップガードは、装着者の臀部に装着されるシート状の臀部保護材と、装着者の腰部に装着されるシート状の腰部保護材とを有し、臀部保護材の腰部保護材側端部と腰部保護材の臀部保護材側端部とは、臀部保護材と腰部保護材とが相対的にスライド可能な状態で互いに重ね合わされていることを特徴とするものである。この構成によれば、臀部保護材が装着者の臀部を保護し、腰部保護材が装着者の腰部を保護する。また、臀部保護材は腰部保護材に対して相対的にスライド可能であるから、装着者が身体を回転させたり前屈させたりした場合であっても、臀部保護材又は腰部保護材が突っ張ることはない。しかも、臀部保護材と腰部保護材とが重ね合わされているから、両者間から容易に水、塵等が侵入することはない。したがって、臀部保護材及び腰部保護材が装着者の体格に合わせてその寸法が決定され、ヒップガードが装着者の臀部及び腰部にフィットするように構成され得る。しかも、装着者は自在に違和感なく身体を動かすことができる。
【０００９】
(2) 上記目的が達成されるため、本発明に係るヒップガードは、装着者の臀部に装着されるシート状の臀部保護材と、臀部保護材に対して相対的にスライド可能な状態で装着者の腰部に装着されるシート状の腰部保護材と、腰部保護材に設けられ、臀部保護材の上に重ね合わせられるフラップとを有することを特徴とするものである。この構成によれば、臀部保護材が装着者の臀部を保護し、腰部保護材が装着者の腰部を保護する。また、腰部保護材は、臀部保護材に対して相対的にスライド可能であるから、装着者が身体を回転させたり前屈させたりした場合であっても、臀部保護材又は腰部保護材が突っ張ることはない。しかも、腰部保護材には臀部保護材を覆うフラップが設けられているから、腰部保護材と臀部保護材との間から容易に水、塵等が侵入することはない。したがって、臀部保護材及び腰部保護材が装着者の体格に合わせてその寸法が決定され、ヒップガードが装着者の臀部及び腰部にフィットするように構成され得る。しかも、装着者は自在に違和感なく身体を動かすことができる。
【００１０】
(3) 臀部保護材と腰部保護材とは、伸縮性に富む生地で連結されているのが好ましい。これにより、装着者がたとえば身体を動かせた場合には、この身体の動きに追従して滑らかに臀部保護材が腰部保護材に対してスライドする。
【００１１】
(4) 上記伸縮性に富む生地は、臀部保護材および腰部保護材のそれぞれの表面同士並びに臀部保護材および腰部保護材のそれぞれの裏面同士を連結するように一対設けられているのが好ましい。これにより、装着者が身体を動かせた場合には、この身体の動きに追従してより滑らかに臀部保護材が腰部保護材に対してスライドする。
【００１２】
(5) 上記臀部保護材及び上記腰部保護材は、内側に通気性に優れた緩衝部材が配置され、外側に当該緩衝部材を覆うように透湿性防水シートが配置されているのが好ましい。緩衝部材が設けられることにより、装着者の臀部およびウェアが確実に保護される。また、透湿性防水シートが配置されていることにより、確実な防水と蒸れ防止が実現される。
【発明の効果】
【００１３】
以上のように本発明によれば、ヒップガードは装着者の身体にフィットしながらも、装着者は、違和感なく身体を動かすことができる。したがって、装着者の臀部およびウェアが確実に保護されると共に、装着者が軽快に動作することができる。
【発明を実施するための最良の形態】
【００１４】
以下、適宜図面が参照されつつ、好ましい実施形態に基づいて本発明が詳細に説明される。
【００１５】
図１は、本発明の一実施形態に係るヒップガードの斜視図である。このヒップガード１０は、たとえば磯釣りの際に使用され、釣人１１（装着者）は同図が示すようにヒップガード１０を装着する。
【００１６】
図２はヒップガード１０の正面図、図３は裏面図である。これらの図が示すように、ヒップガード１０は、釣人１１の腰部に装着される腰部保護材１２と釣人１１の臀部に装着される臀部保護材１３とを備えている。これら腰部保護材１２と臀部保護材１３とは縫い合わされており、その境界部分にメッシュ部材１４が設けられている。本実施形態の特徴とするところは、腰部保護材１２と臀部保護材１３とが後述されるように互いに重ね合わされており、しかも両者間に上記メッシュ部材１４が介在されている点であり、これにより、ヒップガード１０が釣人の身体にフィットするように構成され、しかも釣人にとっては非常に動きやすいものとなっている。
【００１７】
腰部保護材１２は、シート状に形成されている。腰部保護材１２は、釣人１１の腰部に当接される腰当て部１５と、腰当て部１５の両側に延設された保持部１６とを備えている。腰当て部１５は、図２が示すように釣人の腰部を確実に覆うことができる形状に形成されており、保持部１６は、釣人の腹部側へ回り込むように形成されている。この腰部保護部１２は、図２、図３が示すようにベルト１７を備えている。このベルト１７は、腰部保護部１２に沿って配置され、バックル１８を備えている。したがって、釣人は、腰部保護部１２を腰に当て、このバックル１８を用いてベルト１７を締めることができる。これにより、腰部保護部１２は、確実に釣人１１の腰部に装着される。
【００１８】
また、腰当て部１５は、補強帯１９およびフラップ２４を備えている。この補強帯１９は、たとえばエチレン酢酸ビニル共重合体（ＥＶＡ）、ポリ塩化ビニル（ＰＶＣ）、ポリウレタン（ＰＵ）等からなり、図２が示すように、腰当て部１５に対して上下方向に沿って縫い付けられている。この補強帯１９が設けられることにより、上記ベルト１７は補強帯１９によって確実に保持され、しかも釣人は、補強帯１９によって腰部がしっかりとサポートされる。なお、フラップ２４については後述される。
【００１９】
臀部保護材１３は、シート状に形成されている。臀部保護材１３は、釣人の臀部および大腿部の後ろ側に当接される形状に形成されている。臀部保護材１３は、釣人の臀部を覆うことができる本体部２０と、釣人の大腿部の後ろ側を覆うことができる装着部２１とを備えている。本実施形態では、本体部２０は台形状に形成されている。ただし、本体部２０の形状は、釣人の臀部を覆うことができる形状であれば、他の形状に形成されていてもよい。装着部２１は、矩形状に形成され、本体部２０と一体的に形成されている。この装着部２１は、ベルト２２を備えている。ベルト２２は、バックル２３を備えている。釣人は、ベルト２２を大腿部に巻き付けた後、バックル２３用いてベルト２２を締めることができる。これにより、臀部保護部１３は、確実に釣人１１の臀部に装着される。
【００２０】
特に本実施形態では、ベルト２２は二重構造を有し、内側ベルト２２ａ及び外側ベルト２２ｂを備えている。内側ベルト２２ａはゴムからなり、外側ベルト２２ｂはポリプロピレン（ＰＰ）等からなる。この外側ベルト２２ｂは、図２が示すように予め弛まされている。したがって、ベルト２２が釣人の大腿部に巻き付けられたときは、内側ベルト２２ａが伸長して当該大腿部を一定の緊迫力で締め付ける。そして、外側ベルト２２ｂは、内側ベルト２２ａが伸長することによって弛みが無くなり、釣人の大腿部にぴったりとフィットする。これにより、臀部保護部１３は、一層確実に釣人１１の臀部に密着される。
【００２１】
図４は図２における腰部拡大斜視図であり、図５は図３における腰部拡大図である。また、図６は図２におけるVI−VI断面を模式的に示した図である。図６が示すように、腰部保護材１２と臀部保護材１３（具体的には本体部２０）とは、上下方向に沿って対向するように配置され、且つ一定寸法だけ重ね合わされている。具体的には、腰部保護部１２に設けられた上記フラップ２４が垂下され、このフラップ２４が臀部保護部１３に重ね合わされている。換言すれば、腰部保護部１２の臀部保護部１３側の端部（すなわち上記フラップ２４）と、臀部保護部１３の腰部保護部１２側の端部とが重なり合っている。
【００２２】
図４が示すように、このフラップ２４は、腰部保護部１２に縫いつけられると共に腰部保護部１２の側縁と臀部保護部１３の側縁とを連結するように両者間に縫いつけられている。このように、腰部保護部１２と臀部保護材１３とは一体となっていないので、両者は相対的にスライドすることができる。特に、腰部保護部１２は、臀部保護部１３に対して接離するように（同図において上下方向に）スライド自在である。そして、フラップ２４が設けられていることにより、腰部保護部１２と臀部保護材１３との境界部分が露出することはない。したがって、この境界部分から水や塵等が侵入することが防止される。
【００２３】
図４および図６が示すように、腰部保護部１２と臀部保護材１３との境界部分に上記メッシュ部材１４が介在されている。このメッシュ部材１４は、典型的にはパワーメッシュ（登録商標）が採用され得る。ただし、メッシュ部材としては、伸縮性に富む部材であれば他のものが採用されてもよいことは勿論である。このメッシュ部材１４は、腰部保護部１２と臀部保護材１３との間に架け渡すように縫いつけられている。
【００２４】
図６が示すように、腰部保護部１２の裏面２６と臀部保護材１３の裏面２７との間にメッシュ部材１４が設けられている。また、腰部保護部１２の表面２５と臀部保護材１３の裏面２７との間にもメッシュ部材１４が設けられている。これらメッシュ部材１４のうち、いずれか一方が省略されていてもよい。これら一対のメッシュ部材１４は、上記臀部保護材１３に重ね合わされるように縫いつけられている。具体的には、臀部保護材１３の縁部に縁取りテープ１３ａが取り付けられ、この臀部保護材１３の縁部の裏面側に一対のメッシュ部材１４が縫いつけられている。
【００２５】
図７は、メッシュ部材１４の取付要領を示す斜視図である。同図が示すように、メッシュ部材１４は、腰部保護部１２及び臀部保護材１３の裏面２６、２７と滑らかに連続している。このようなフラッシュサーフェイス処理が施されているから、このヒップガード１０は、釣人にとってきわめて着心地が良いという利点がある。
【００２６】
本実施形態では、一対のメッシュ部材１４が上記腰部保護部１２及び臀部保護材１３に重ね合わされるように縫いつけられている。かかる縫付構造が採用されることにより、縫製作業が容易になるという利点がある。もっとも、一方のメッシュ部材１４が、腰部保護部１２の表面２５と臀部保護材１３の表面との間に設けられていてもよい。
【００２７】
図１〜図５及び図７が示すように、腰部保護材１２及び臀部保護材１３のそれぞれの周縁部には、縁取りテープ２８が設けられている。これにより、腰部保護材１２及び臀部保護材１３を構成する生地の縁部が補強されている。また、図５および図７が示すように、臀部保護材１３の本体部２０に切欠２９が設けられている。この切欠２９が設けられることにより、臀部保護材１３の通気性が向上する。なお、この切欠２９の周囲にも縁取りテープ２８が設けられている。
【００２８】
図６が示すように、本実施形態では臀部保護材１３は、立体構造を有するネット３０（緩衝部材）と、外布３１とを備えている。このネット３０は、たとえばタブルラッセル編機により形成される編地が採用され得る。このネット３０は、表裏二層の編地と、これら編地を間隔をあけて連結する連結糸とから構成される。具体的には、表編地と裏編地とが連結糸で連結され、各編地がそれぞれメッシュ状に形成されている。すなわち、二重編地の厚さ方向および当該方向に直交する方向に空隙（貫通孔）が設けられている。したがって、この二重編地は、軽量でありながら通気性に優れている。このネット３０を構成する糸条の素材は特に限定されるものではない。たとえば、ナイロン、ポリエステル、ポリアミド、ポリアクリロニトリル等の合成繊維や再生繊維のほか、ウール、木綿等の天然繊維が採用され得る。上記二層編地を連結する連結糸は、低密度（嵩が高い）と適度な反発力（弾性力）を備えながら、通気性を備えたものが好ましい。また、上記外布３１は、透湿性防水生地から構成されているのが好ましい。なお、図６では図示されていないが、腰部保護材１２も同様にネット３０および外布３１を備えた構造である。
【００２９】
釣人は、たとえば磯釣りの際にこのヒップガード１０を装着する。具体的には、釣人は、腰部保護材１２を腰に当て、臀部保護材１３を臀部に当てる。そして、ベルト１７をバックル１８を介して締め付けると共に、ベルト２２を両大腿部にバックル２３を介して締め付ける。これにより、臀部保護材１３が釣人の臀部を保護し、腰部保護材１２が釣人の腰部を保護する。
【００３０】
前述のように腰部保護材１２は、臀部保護材１３に対して相対的にスライド可能であるから、釣人が実釣中に身体を回転させたり前屈させたりする等の激しい動きをした場合であっても、臀部保護材１３または腰部保護材１２が突っ張ることはない。詳述すれば、釣人が身体を激しく動かした場合であっても、図６が示すように臀部保護材１３が腰部予後剤１２に対して相対的にスライドするので、釣人は、違和感なく身体を動かすことができる。しかも、腰部保護材１２には臀部保護材１３を覆うフラップ２４が設けられているから、腰部保護材１２と臀部保護材１３との間から容易に海水等が侵入することはない。
【００３１】
したがって、臀部保護材１３及び腰部保護材１２は、釣人の体格に合わせてその寸法が決定され、ヒップガード１０が釣人の臀部及び腰部にフィットするように構成され得る。つまり、ヒップガード１０が釣人の身体にフィットしながらも、釣人は、違和感なく身体を動かすことができる。その結果、ヒップガード１０は、釣人の臀部およびウェアを確実に保護すると共に、装着者は、常に軽快に動作することができる。
【００３２】
本実施形態に係るヒップガード１０では、臀部保護材１３と腰部保護材１２とは、上記メッシュ部材１４で連結されているのが好ましい。これにより、釣人が身体を動かした場合には、この身体の動きに追従して、滑らかに臀部保護材が腰部保護材に対してスライドする。つまり、釣人は、ヒップガード１０を装着していても、きわめて動きやすい。
【００３３】
しかも、メッシュ部材１４は、臀部保護材１３および腰部保護材１２を挟むように一対設けられている。これにより、釣人が身体を動かした場合には、この身体の動きにより滑らかに追従して臀部保護材が腰部保護材に対してスライドするという利点がある。
【００３４】
加えて、本実施形態に係るヒップガード１０では、臀部保護材１３及び腰部保護材１２は、上記ネット３０および外布３１を備えている。ネット３０により、釣人の臀部およびウェアが確実に保護される。また、外布３１により、確実な防水と蒸れ防止が実現される。
【００３５】
本実施形態では、腰部保護部１２と臀部保護材１３とは、腰部保護材１２に設けられたフラップ２４によって重ね合わされている。ただし、フラップ２４が省略され、腰部保護剤１２と臀部保護材１３とが直接重ね合わされていてもよいことは勿論である。要するに、腰部保護材１２と臀部保護材１３とが相対的にスライドすることができ、これら腰部保護材１２および臀部保護材１３が釣人の身体の動きに追従することができればよい。
【産業上の利用可能性】
【００３６】
本発明は、魚釣り等レジャーに使用されるヒップガードに適用され得る。
【図面の簡単な説明】
【００３７】
【図１】図１は、本発明の一実施形態に係るヒップガードの斜視図である。
【図２】図２は、本発明の一実施形態に係るヒップガードの正面図である。
【図３】図３は、本発明の一実施形態に係るヒップガードの裏面図である。
【図４】図４は、図２における腰部拡大斜視図である。
【図５】図５は、図３における腰部拡大図である。
【図６】図６は、図２におけるVI−VI断面を模式的に示した図である。
【図７】図７は、本発明の一実施形態に係るヒップガードに使用されるメッシュ部材の取付要領を示す斜視図である。
【符号の説明】
【００３８】
１０・・・ヒップガード
１１・・・釣人
１２・・・腰部保護材
１３・・・臀部保護材
１４・・・メッシュ部材
１５・・・腰当て部
１６・・・保持部
１７・・・ベルト
１８・・・バックル
１９・・・補強帯
２０・・・本体部
２１・・・装着部
２２・・・ベルト
２３・・・バックル
２４・・・フラップ
２５・・・表面
２６・・・裏面
２７・・・裏面
２８・・・縁取りテープ
２９・・・切欠
３０・・・ネット
３１・・・外布
【図１】
2006169695.tif 000003
【図２】
2006169695.tif 000004
【図３】
2006169695.tif 000005
【図４】
2006169695.tif 000006
【図５】
2006169695.tif 000007
【図６】
2006169695.tif 000008
【図７】
2006169695.tif 000009